(57)【要約】【課題】  配管仮置き用と配管押え用のバンド片の連結自由端の連結を、配管荷重等の外力によって外れないように外れ止め措置を施す。【解決手段】  各バンド片２ａ、２ｂの連結自由端３を、相互にＸ字状に係合自在とするように、バンド片２ａ、２ｂの径より径大の段差受部３１、１／２幅にして一対のバンド片に幅方向逆向きの切欠溝３２を有する傾斜連結片を介して配置した上記段差受部３１に重合する先端重合片３３によって形成し、各段差受け部３１と先端重合片３３に、それぞれ切り起し突起による各幅方向２箇所の係合小突起３５を配置し、連結自由端３の連結時に、各係合小突起３５の切り起し側先端の破断面が相互に対面するように幅方向に直列配置して連結自由端３の外れ止め措置とする。【選択図】  図９
2011075075.tif 000002
【特許請求の範囲】
【請求項１】
一方を１／２円以上の湾曲角度の配管仮置き用とし、他方を残余の湾曲角度の配管押え用とした一対のバンド片を、各上端に起立した吊片に挿通したボルトにナットによって締着支持して別体又は配管仮置き用のバンド片の吊片に一体に形成したタンバックルに吊支持し、配管仮置き用のバンド片によって配管を仮置き支持して配管押え用のバンド片を配管外周方向に拡開回動することにより、その円周方向中間位置でこれらバンド片に形成した連結自由端を相互に連結して該一対のバンド片による配管の被嵌支持を自在とするとともに上記連結自由端を、相互にＸ字状に係合自在とするように、バンド片の径より径大の段差受部、１／２幅にして一対のバンド片に幅方向逆向きの切欠溝を有する傾斜連結片を介して配置して上記段差受部に重合する先端重合片を備え且つ連結自由端にこれらの外れ止めを行う外れ止め措置を施した配管吊バンドであって、該外れ止め措置を、上記配管押え用のバンド片の拡開回動に際して相互に干渉を回避し且つ上記段差受部と先端重合片にその重合状態でバンド片幅方向に直列交互の配置をなすようにこれらの対向面の幅方向にそれぞれ低突出した各バンド片に幅方向複数の係合小突起によるものとしてなることを特徴とする配管吊バンド。
【請求項２】
上記係合小突起を、段差受部及び先端重合片の対向面に向けて低突出した円形点状乃至短小リブ状の隆起突起とし且つ一方を３箇所、他方を２箇所としてなることを特徴とする請求項１に記載の配管吊バンド。
【請求項３】
上記係合小突起を、段差受部及び先端重合片の対向面にバンド片の幅方向に向けて切り起し低突出した切り起し突起とし且つその切り起し側先端の破断面を直列交互間で相互に対面するように各偶数配置してなることを特徴とする請求項１に記載の配管吊バンド。
【請求項４】
上記係合小突起を、段差受部及び先端重合片の対向面における突出幅を０．５〜１．５ｍｍとしてなることを特徴とする請求項１、２又は３に記載の配管吊バンド。
【請求項５】
上記一対のうち配管押え用のバンド片における吊片に、配管仮置き用のバンド片の吊片に配置した円形のボルト孔に上端位置を合せて、該ボルト孔より下位方向に向けた長孔のボルト孔を配置してなることを特徴とする請求項１、２、３又は４に記載の配管吊バンド。
【請求項６】
上記一対のうち配管押え用のバンド片の吊片近傍を該バンド片の径より径大の径大湾曲部とし、該径大湾曲部から吊片を起立してなることを特徴とする請求項１、２、３、４又は５に記載の配管吊バンド。
【請求項７】
上記連結自由端の先端重合片を、バンド片の径より１〜２度程度のやや径大の角度に配置し且つその上記切欠溝側に位置する先端に上記１〜２度程度のバンド片との径差を吸収する先端屈曲部を配置してなることを特徴とする請求項１、２、３、４、５又は６に記載の配管吊バンド。
【発明の詳細な説明】
【技術分野】
【０００１】
本発明は、天井スラブに配管を吊支持するに用いる配管吊バンドに関する。
【背景技術】
【０００２】
この種の配管吊バンドとして、本発明者の提案に係る下記特許文献１が知られており、これによれば、該配管吊バンドは、一方を１／２円以上の湾曲角度の配管仮置き用とし、他方を残余の湾曲角度の配管押え用とした一対のバンド片を、各上端に起立した吊片に挿通したボルトにナットによって締着支持して別体のタンバックルに吊支持し、配管仮置き用のバンド片によって配管を仮置き支持して配管押え用のバンド片の配管外周方向に拡開回動することにより、その円周方向中間位置でこれらバンド片に形成した連結自由端を相互に連結して該一対のバンド片による配管の被嵌支持を自在とするとともに上記連結自由端を、相互にＸ字状に係合自在とするように、バンド片の径より径大の段差受部、１／２幅にして一対のバンド片に幅方向逆向きの切欠溝を有する傾斜片及び上記段差受部に重合する先端重合片を備え且つ連結自由端にこれらの外れ止めを行う外れ止め措置を施したものとされており、このとき該外れ止め措置は、上記段差受部と先端重合片に、その重合状態で先端重合部にその肉厚の２ｍｍ程度の高さの嵌合突起を、段差受部に該嵌合突起を受入れ嵌合する嵌合透孔を配置したものとされている。
【先行技術文献】
【特許文献】
【０００３】
【特許文献１】特開平１１−３０４０５２号公報
【発明の概要】
【発明が解決しようとする課題】
【０００４】
この場合、配管仮置き用のバンド片に配管を仮置きして、配管押さえ用のバンド片を拡開回動することによって、配管の吊支持が可能となるから、配管作業に際して配管を手持ちすることなく、単独の作業者が容易に配管作業を行なうことができ、配管作業の効率化に資するものとすることができ、また外れ止め措置によって、一対のバンド片を用いながら、その連結自由端の一体的な連結が可能となり、安定性と耐久性を兼ね備えた配管支持が可能となる。
【０００５】
しかし乍ら、この場合、配管作業に際して一対のバンド片の連結自由端が外れるのを防止するために、バンド片の先端重合片における肉厚程度、即ち２ｍｍ程度の高さの嵌合突起を、段差受部の嵌合透孔に嵌合する外れ止め措置を施すことが必要であり、該外れ止め措置が配管作業の効率化を阻害する可能性が残されている。
【０００６】
即ち、一対の配管バンドは、配管の外径に合せた内径を有して、揺動することなく配管を挟持状に被嵌支持するために、嵌合透孔に受入れ嵌合すべき嵌合突起の高さを吸収する余裕がなく、その受け入れ嵌合は、一般に鋼材とされたバンド片の弾性を利用することになるが、該弾性利用によって、連結自由端のＸ字状の係合による連結が硬くなるから、このように嵌合突起と嵌合透孔の嵌合による外れ止め措置は、作業性を阻害する要因をなすことになる。
【０００７】
このとき、配管バンドの吊片は、これにボルトを挿通する透孔が配置されるが、該透孔は、一般にボルトの軸径より僅かに径大の円形のものとされるから、ボルトを挿通した吊片は、その径差による幾分の揺動が可能となるが、一般にこの種の配管バンドは、タンバックルに締着片をボルトナットで締着固定した状態で出荷されるから、配管を配管押え用のバンド片で被嵌するに先立ってナットを緩めることになるが、ナットの緩め幅が小さいと、配管押え用のバンド片の揺動範囲が制限されて、該バンド片の配管外周方向への拡開回動をなし得なくなるとともに上記弾性利用による嵌合突起と嵌合透孔の嵌合がスムーズに行な得なくなる可能性が残るところ、ナットの緩め作業はそれ自体煩雑であるとともに、一般に上方高所でなされる配管作業にあって、緩め過ぎによるナットの落下や紛失の原因ともなるから、該ナットの緩め作業も、配管作業の作業性を阻害する要因をなすことになる。
【０００８】
本発明はかかる事情に鑑みてなされたもので、その解決課題とするところは、上記配管支持の安定性及び耐久性を維持しつつ、配管作業の高度な作業性を確保した配管吊バンドを提供するにあり、更に、ナットの緩め幅を可及的に小さくしても配管作業の作業性を阻害することなく、高度な作業性を確保できるようにした配管吊バンドを提供するにある。
【課題を解決するための手段】
【０００９】
上記課題に沿って本発明は、外れ止め措置を、各バンド片の段差受部と先端重合片の対向面にそれぞれ低突出した各バンド片に幅方向複数にして、段差受部と先端重合片の重合状態で直列交互に配置した係合小突起によるものとすることによって、上記ボルトを回動の中心とする配管押え用のバンド片の拡開回動に際して、相互の干渉を回避し、これら段差受部と先端重合片の重合状態で上記幅方向に直列交互の配置を行うことにより、配管押え用のバンド片の拡開回動による揺動を活用した外れ止め措置を可能とするとともに直列交互の配置による先端重合片の幅方向の移動を有効に阻止した配管支持を可能としたものであって、即ち、請求項１に記載の発明を、一方を１／２円以上の湾曲角度の配管仮置き用とし、他方を残余の湾曲角度の配管押え用とした一対のバンド片を、各上端に起立した吊片に挿通したボルトにナットによって締着支持して別体又は配管仮置き用のバンド片の吊片に一体に形成したタンバックルに吊支持し、配管仮置き用のバンド片によって配管を仮置き支持して配管押え用のバンド片を配管外周方向に拡開回動することにより、その円周方向中間位置でこれらバンド片に形成した連結自由端を相互に連結して該一対のバンド片による配管の被嵌支持を自在とするとともに上記連結自由端を、相互にＸ字状に係合自在とするように、バンド片の径より径大の段差受部、１／２幅にして一対のバンド片に幅方向逆向きの切欠溝を有する傾斜連結片を介して配置して上記段差受部に重合する先端重合片を備え且つ連結自由端にこれらの外れ止めを行う外れ止め措置を施した配管吊バンドであって、該外れ止め措置を、上記配管押え用のバンド片の拡開回動に際して相互に干渉を回避し且つ上記段差受部と先端重合片にその重合状態でバンド片幅方向に直列交互の配置をなすようにこれらの対向面の幅方向にそれぞれ低突出した各バンド片に幅方向複数の係合小突起によるものとしてなることを特徴とする配管吊バンドとしたものである。
【００１０】
請求項２に記載の発明は、上記に加えて、係合小突起を、可及的簡易にして容易に形成できるとともに上記干渉の回避と確実な外れ止め作用を呈する形態のものとするように、これを、上記係合小突起を、段差受部及び先端重合片の対向面に向けて低突出した円形点状乃至短小リブ状の隆起突起とし且つ一方を３箇所、他方を２箇所としてなることを特徴とする請求項１に記載の配管吊バンドとしたものである。
【００１１】
請求項３に記載の発明は、同じく上記に加えて、係合小突起を、可及的簡易にして容易に形成できるとともに上記干渉の回避と更に確実な外れ止め作用を呈する形態のものとするように、これを、上記係合小突起を、段差受部及び先端重合片の対向面にバンド片の幅方向に向けて切り起し低突出した切り起し突起とし且つその切り起し側先端の破断面を直列交互間で相互に対面するように各偶数配置してなることを特徴とする請求項１に記載の配管吊バンドとしたものである。
【００１２】
請求項４に記載の発明は、同じく上記に加えて、係合小突起の突出寸法を可及的に抑制することによって、外観に対する影響を可及的に減少しつつ、簡易にして確実な外れ止め措置とし得るように、これを、上記係合小突起を、段差受部及び先端重合片の対向面における突出幅を０．５〜１．５ｍｍとしてなることを特徴とする請求項１、２又は３に記載の配管吊バンドとしたものである。
【００１３】
請求項５に記載の発明は、同じく上記に加えて、上記タンバックルに吊片を締着固定した出荷状態で、ナットを僅かに緩めることによって、ボルト軸に対する吊片の可及的大きな傾斜を確保して、配管押え用のバンド片の可及的大きな拡開回動とこれによる簡易な外れ止め措置をなし得るようにすることによって、ナットの緩め幅を可及的に小さくしても配管作業の作業性を阻害することのないものとするように、これを、上記一対のうち配管押え用のバンド片における吊片に、配管仮置き用のバンド片の吊片に配置した円形のボルト孔に上端位置を合せて、該ボルト孔より下位方向に向けた長孔のボルト孔を配置してなることを特徴とする請求項１、２、３又は４に記載の配管吊バンドとしたものである。
【００１４】
請求項６に記載の発明は、同じく上記に加えて、更にナットを僅かに緩めても、配管押え用のバンド片の拡開回動に際して、該バンド片が配管の上方に接触して回動不能となるのを防止することによって、配管作業を更に容易になし得るものとするように、これを、上記一対のうち配管押え用のバンド片の吊片近傍を該バンド片の径より径大の径大湾曲部とし、該径大湾曲部から吊片を起立してなることを特徴とする請求項１、２、３、４又は５に記載の配管吊バンドとしたものである。
【００１５】
請求項７に記載の発明は、同じく上記に加えて、配管支持の外観を可及的良好に確保するとともに連結自由端の連結と外れ止め措置を有効且つ確実に行って、配管作業を容易になし得るものとするように、これを、上記連結自由端の先端重合片を、バンド片の径より１〜２度程度のやや径大の角度に配置し且つその上記切欠溝側に位置する先端に上記１〜２度程度のバンド片との径差を吸収する先端屈曲部を配置してなることを特徴とする請求項１、２、３、４、５又は６に記載の配管吊バンドとしたものである。
【００１６】
本発明は、これらをそれぞれ発明の要旨として、上記課題解決の手段としたものである。
【発明の効果】
【００１７】
本発明は以上のとおりに構成したから、請求項１に記載の発明は、外れ止め措置を、各バンド片の段差受部と先端重合片の対向面にそれぞれ低突出した各バンド片に幅方向複数にして、段差受部と先端重合片の重合状態で直列交互に配置した係合小突起によるものとすることによって、上記ボルトを回動の中心とする配管押え用のバンド片の拡開回動に際して、相互の干渉を回避し、これら段差受部と先端重合片の重合状態で上記幅方向に直列交互の配置を行うことにより、配管押え用のバンド片の拡開回動による揺動を活用した外れ止め措置を可能とするとともに直列交互の配置による先端重合片の幅方向の移動を有効に阻止した配管支持を可能として、配管支持の安定性及び耐久性を維持しつつ、配管作業の高度な作業性を確保した配管吊バンドを提供することができる。
【００１８】
請求項２に記載の発明は、上記に加えて、係合小突起を、可及的簡易にして容易に形成できるとともに上記干渉の回避と確実な外れ止め作用を呈する形態のものとすることができる。
【００１９】
請求項３に記載の発明は、同じく上記に加えて、係合小突起を、可及的簡易にして容易に形成できるとともに上記干渉の回避と更に確実な外れ止め作用を呈する形態のものとすることができる。
【００２０】
請求項４に記載の発明は、同じく上記に加えて、係合小突起の突出寸法を可及的に抑制することによって、外観に対する影響を可及的に減少しつつ、簡易にして確実な外れ止め措置としたものとすることができる。
【００２１】
請求項５に記載の発明は、同じく上記に加えて、上記タンバックルに吊片を締着固定した出荷状態で、ナットを僅かに緩めることによって、ボルト軸に対する吊片の可及的大きな傾斜を確保して、配管押え用のバンド片の可及的大きな拡開回動とこれによる簡易な外れ止め措置をなし得るようにすることによって、ナットの緩め幅を可及的に小さくしても配管作業の作業性を阻害することのないものとすることができる。
【００２２】
請求項６に記載の発明は、同じく上記に加えて、更にナットを僅かに緩めても、配管押え用のバンド片の拡開回動に際して、該バンド片が配管の上方に接触して回動不能となるのを防止することによって、配管作業を更に容易になし得るものとすることができる。
【００２３】
請求項７に記載の発明は、同じく上記に加えて、配管支持の外観を可及的良好に確保するとともに連結自由端の連結と外れ止め措置を有効且つ確実に行って、配管作業を容易になし得るものとすることができる。
【図面の簡単な説明】
【００２４】
【図１】配管吊バンドの正面図である。
【図２】配管仮置き用のバンド片の正面図である。
【図３】配管仮置き用のバンド片の側面図である。
【図４】配管押え用のバンド片の正面図である。
【図５】配管押え用のバンド片の側面図である。
【図６】連結自由端における係合小突起の配置状態を示す平面図である。
【図７】連結自由端の連結状態を示す部分拡大正面図である。
【図８】連結自由端の連結状態を示す外側の部分拡大斜視図である。
【図９】連結自由端の連結状態を示す内側の部分拡大斜視図である。
【図１０】他の例の連結自由端における係合小突起の配置状態を示す平面図である。
【図１１】図１０の連結自由端の連結状態を示す部分拡大正面図である。
【発明を実施するための形態】
【００２５】
以下図面の例に従って本発明を更に具体的に説明すれば、図１乃至図９においてＡは、鋼板にプレス加工を施すことによって形成した配管吊バンドであり、該配管吊バンドＡは、一方を１／２円以上の湾曲角度の配管仮置き用とし、他方を残余の湾曲角度の配管押え用とした一対のバンド片２ａ、２ｂを、各上端に起立した吊片２２に挿通したボルトナット４ａ、４ｂによって締着支持して別体のタンバックル１に吊支持し、配管仮置き用のバンド片２ａによって配管６を仮置き支持して配管押え用のバンド片２ｂを配管外周方向に拡開回動することにより、その円周方向中間位置でこれらバンド片２ａ、２ｂに形成した連結自由端３を相互に連結して該一対のバンド片２ａ、２ｂによる配管６の被嵌支持を自在とするとともに上記連結自由端３を、相互にＸ字状に係合自在とするように、バンド片２ａ、２ｂの径より径大の段差受部３１、１／２幅にして一対のバンド片２ａ、２ｂに幅方向逆向きの切欠溝３２を有する傾斜連結片を介して配置して上記段差受部３１に重合する先端重合片３３を備え且つ連結自由端３にこれらの外れ止めを行う外れ止め措置を施したものとしてあり、このとき該配管吊バンドＡの外れ止め措置は、これを、上記配管押え用のバンド片２ｂの拡開回動に際して相互に干渉を回避し且つ上記段差受部３１と先端重合片３３にその重合状態でバンド片２ａ、２ｂ幅方向に直列交互の配置をなすようにこれらの対向面の幅方向にそれぞれ低突出した各バンド片２ａ、２ｂに幅方向複数の係合小突起３５によるものとしてある。
【００２６】
本例にあって配管吊バンドＡの上記配管仮置き用のバンド片２ａは、タンバックル１に該バンド片２ａを配置した状態で、配管６を安定して下支え支持し得るように、その湾曲角度を、例えば、吊片２２のタンバックル１への締着固定状態で、吊片２２のタンバックル１対接面から上記段差受部３１先端まで２２０°程度の角度をなすものとするとともにその段差受部３１の湾曲角度を１０°程度としてあり、また、配管押え用のバンド片２ｂは、同じく段差受部３１の先端まで１４０°程度の湾曲角度をなすものとするとともにその段差受部３１の湾曲角度を同じく１０°程度としてある。このとき該段差受部３１は、バンド片２ａ、２ｂの内径、例えば３０ｍｍ程度に対して数度径大の、例えば３３ｍｍ程度としてあり、これによって、該段差受部３１はバンド片２ａ、２ｂより２ｍｍ程度大きな同心円上に位置するように配置したものとしてある。
【００２７】
このとき、上記一対のバンド片２ａ、２ｂは、その各吊片２２にボルト４ａを挿通するボルト孔２３を透設してあり、本例にあって、該ボルト孔２３は、上記配管仮置き用のバンド片２ａにあってはボルト４ａの軸に合せてこれより幾分径大とした円形透孔のボルト孔とする一方、配管押え用のバンド片２ｂにおける吊片２２に、配管仮置き用のバンド片２ａの吊片２２に配置した上記円形のボルト孔２３に上端位置を合せて、該ボルト孔より下位方向に向けた長孔のボルト孔２３を配置したものとしてある。
【００２８】
また、上記一対のうち配管押え用のバンド片２ａの吊片２２近傍を該バンド片２ｂの径より径大の径大湾曲部２５とし、該径大湾曲部２５から吊片２２を起立したものとしてあり、このとき該径大湾曲部２５は、その湾曲角度を、例えば２０°程度とし且つその内径を、上記段差受部３１と同様に数度径大の同じく３３ｍｍ程度としてあり、これによって該径大湾曲部２５は、同じくバンド片２ａ、２ｂより２ｍｍ程度大きな同心円上に位置するように配置してある。このように該配管押え用のバンド片２ｂに径大湾曲部２５を配置することによって、該配管押え用のバンド片２ｂを拡開回動するに際して、該バンド片２ｂの吊片２２下端部分が、配管仮置き用のバンド片２ａに仮置き載置した配管６の上方に接触することによって、その回動が阻害されるのを可及的に防止するようにして、ボルト４ａに締着したナット４ｂを僅かに緩めることによって、この径大湾曲部２５が配管６との接触を回避して、配管押え用のバンド片２ｂのスムーズな拡開回動をなし得るようにしてある。
【００２９】
各バンド片２ａ、２ｂの連結自由端３は、その段差受部３１と先端重合片３３間の切欠溝３２の相互の嵌め合いによって、各バンド片２ａ、２ｂの段差受部３１に先端重合片３３がそれぞれ載置重合するようにして、上記１／２幅の切欠溝３２と傾斜片が噛合うように、Ｘ字状の交差係合を行ってこれらバンド片２ａ、２ｂの自由端を連結して配管６を被嵌支持するようにしてあり、このとき先端重合片３３は、上記段差受部３１に切欠溝３２を配置した傾斜連結片を介してバンド片２ａ、２ｂに段差受部３１とともに一体にプレス成形して形成したものとしてあり、これによって各段差受部３１が配管吊バンドＡの外周側に、先端重合片３３が内周側に位置して配管６の確実な被嵌支持を行うようにしてありこのとき本例の先端重合片３３は、これを、バンド片２ａ、２ｂの径より１〜２度程度のやや径大の角度に配置し且つその上記切欠溝３２側に位置する先端に上記１〜２度程度のバンド片との径差を吸収する先端屈曲部３４を配置して、連結自由端の連結状態で、該先端屈曲部３４が、例えば、２ｍｍ程度となる径差による空隙を埋めて、配管６にその幅方向両端部位で接触して、これを支持することによって、連結自由端３を配置したことによる配管６における該部位に空隙を生じることなく、該配管６の支持を確実になし得るようにしてある。
【００３０】
連結自由端３は、以上のようにバンド片２ａ、２ｂのそれぞれ自由端側にあってその連結部を形成するものとする一方、該連結自由端３にはその外れ止めを行う上記外れ止め措置を施してあるところ、該外れ止め措置を行う上記係合小突起３５は、本例にあって、これを、段差受部３１及び先端重合片３３の対向面にバンド片２ａ、２ｂの幅方向に向けて切り起し低突出した切り起し突起とし且つその切り起し側先端の破断面を直列交互間で相互に対面するように各複数、本例にあっては各２箇所配置したものとし、このとき切り起し突起による係合小突起３５は、これを、段差受部３１及び先端重合片３３の対向面における突出幅を０．５〜１．５ｍｍ、本例にあっては１ｍｍとしたものとしてある。
【００３１】
本例にあって該切り起し突起による係合小突起３５は、例えば、２．５×３ｍｍ四方程度の小面積の矩形部分を、プレス加工によって、その一辺を連結した状態で３辺を切り起して対向面に低突出するように傾斜立上げることによって形成してあり、このとき、該係合小突起３５は、各段差受部３１及び先端重合片３３における上記配管押え用のバンド片２ｂの回動軌跡から外れるように配置してある。また、本例の係合所突起３５は、各段差受部３１と先端重合片３３にそれぞれ２箇所とするとともに、例えば、段差受部３１と先端重合片３３で切り起しを逆向きに行うことによって、段差受部３１と先端重合片３３の係合小突起３５がそれぞれ切り起し先端の破断壁、本例にあっては上記２．４ｍｍの幅にして１ｍｍの突出高さの先端が、相互に対向するように配置してあり、これによって、バンド片２ａ、２ｂに、その幅方向にズレを生じる外力が作用しても、その切り起し先端の破断面同士が対接することによってその移動を有効且つ確実に阻止し得るようにしてある。
【００３２】
以上のように形成した本例の配管吊バンドＡは、タンバックル１の回転ナット１１を天井スラブに設置した吊ボルト５に螺装し、ナット４ｂを、例えば２〜３回程度回転するように僅かに緩めて、配管押え用のバンド片２ｂの連結自由端３を配管仮置き用のバンド片２ａから回動して跳ね上げ状に外して、配管仮置き用のバンド片２ｂの開放部位から配管６を該バンド片２ａに仮置き載置し、その後、上記跳ね上げ状に外した配管押え用のバンド片２ｂを、ボルト４ａの軸を回動中心として、配管６の外周方向に起した状態で回動、即ち、拡開回動して、該配管押え用のバンド片２ｂで配管６を被うようにして、その連結自由端３を、配管仮置き用のバンド片２ａの連結自由端３に連結して、その後にナット４ｂを締着するように用いるものとしてある。このとき、配管押え用のバンド片２ｂのボルト孔２３を長孔としたこと、該配管押え用のバンド片２ｂに径大湾曲部２５を配置したことによって、ナット４ｂを僅かに緩めることによって、該バンド片２ｂの余裕のある拡開回動とこれによる連結自由端３の連結を容易化して、その作業効率を可及的に高度化することができる。また、上記切り起し突起の係合小突起３５の配置を、上記回動軌跡から外れる小面積の部分としたことによって、配管押え用のバンド片２ａの該拡開回動によって、連結自由端３の連結時に、これらが当って拡開回動の連結を阻害することのないように、相互の干渉を回避して、段差受部３１と先端重合片３３の重合状態でバンド片２ａ、２ｂの幅方向に直列交互の配置をなすことができ、該直列交互の配置によって、バンド片２ａ、２ｂの連結自由端３の連結を、幅方向２箇所の切り起し突起の破断面の対面によって、配管荷重その他の外力に対して確実にして長期に亘る外れ止め作用を呈するものとするとともに該外れ止め措置による外観や配管作業の作業性に対する影響を招くことのないようにしてある。
【００３３】
図中１２は該回転ナット１１の落下防止用のナット抜止め、２１はバンド片２ａ、２ｂの補強リブ、２４は吊片２２のボルト４ａの回転止めをそれぞれ示す。
【００３４】
図１０及び図１１は、他の例を示すもので、本例にあっては、同一構成の配管吊バンドＡにあって、その外れ止め措置における上記係合小突起３５を、段差受部３１及び先端重合片３３の対向面に向けて低突出した円形点状乃至短小リブ状、本例にあっては円形点状の隆起突起とし且つ一方を３箇所、他方を２箇所とした例である。
【００３５】
本例にあって、該係合小突起３５は、段差受部３１と先端重合片３３の一方で、例えば、突出高さを１ｍｍ程度とし、径を３ｍｍ程度とした径大の平面円形とし、他方で、同じく突出高さを１ｍｍ程度とし、径を１．８ｍｍ程度の径小の平面円形とするように、双方で異径のものとし且つ径大の係合小突起３５を２箇所、径小の係合小突起３５を３箇所とすることによって、段差受部３１と先端重合片３３の重合状態で径小の係合小突起３５間に径大の係合小突起３５が位置するように配置してある。このとき、本例の係合小突起３５は、一対のうちの一方、例えば、バンド片２ａ又は２ｂの段差受部３１に径大の係合小突起３５を、先端重合片３３に径小の係合小突起３５を、他方、例えば、バンド片２ｂ又は２ａに、これとは逆に、段差受部３１に径小の係合小突起３５を、先端重合片３３に径大の係合小突起３５をそれぞれ配置してある。
【００３６】
本例にあっても、上記と同様に、配管押え用のバンド片２ｂのボルト孔２３を長孔としたこと、これに径大湾曲部２５を配置したことによって、ナット４ｂを僅かに緩めることによって、該バンド片２ｂの余裕のある拡開回動とこれによる連結自由端３の連結を容易化して、その作業効率を可及的に高度化することができ、隆起突起の係合小突起３５の配置も、上記回動軌跡から外れる小面積の部分としたことによって、配管押え用のバンド片２ａの拡開回動によって、連結自由端３の連結時に、これらが当って拡開回動の連結を阻害することのないように、相互の干渉を回避して、段差受部３１と先端重合片３３の重合状態でバンド片２ａ、２ｂの幅方向に直列交互の配置をなすものとして、該バンド片２ｂの余裕のある拡開回動とこれによる連結自由端３の連結を容易化して、その作業効率を可及的に高度化するとともにバンド片２ａ、２ｂの連結自由端３の連結を、配管荷重その他の外力に対して、交互配置の隆起突起を対面することによって、同様に、長期に亘って確実な外れ止め作用を呈し且つ該外れ止め措置によって外観や配管作業の作業性に影響を与えることのないようにしてある。
【００３７】
図示した例は以上のとおりとしたが、タンバックルを、配管仮置き用のバンド片の吊片に一体に形成したもの、即ち、タンバックルの支持片と該吊片を一体化して双方を一体に形成したものとすること、上記係合小突起を、隆起突起とするとき、これを、上記円形のものに代えて、短小リブ状のものとすることを含めて、本発明の実施に当って、配管吊バンド、配管仮置き用及び配管押え用の一対のバンド片、タンバックル、連結自由端、段差受部、先端重合片、外れ止め措置、係合小突起、必要に応じて用いる隆起突起、切り起し突起、配管押え用のバンド片における長孔のボルト孔、同じく配管押え用のバンド片における径大湾曲部、バンド片の先端屈曲部等の各具体的形状、構造、材質、これらの関係、これらに対する付加等は、上記発明の要旨に反しない限り様々な形態のものとすることができる。
【符号の説明】
【００３８】
Ａ  配管吊バンド
１  タンバックル
１１  回転ナット
１２  ナット抜止め
２ａ  配管仮置き用のバンド片
２ｂ  配管押え用のバンド片
２１  補強リブ
２２  吊片
２３  ボルト孔
２４  回転止めリブ
２５  径大湾曲部
３  連結自由端
３１  段差受部
３２  切欠溝
３３  先端重合片
３４  先端屈曲部
３５  係合小突起
４ａ  ボルト
４ｂ  ナット
５  吊ボルト
６  配管
【図１】
2011075075.tif 000003
【図２】
2011075075.tif 000004
【図３】
2011075075.tif 000005
【図４】
2011075075.tif 000006
【図５】
2011075075.tif 000007
【図６】
2011075075.tif 000008
【図７】
2011075075.tif 000009
【図８】
2011075075.tif 000010
【図９】
2011075075.tif 000011
【図１０】
2011075075.tif 000012
【図１１】
2011075075.tif 000013